(57)【要約】【課題】より安定して輝度ムラを抑制可能な調光パターンの生成方法を提供する。【解決手段】本発明の一実施形態に係る調光パターンの生成方法は、少なくとも１つの光源３１と、光源３１からの光を拡散させる光拡散板４０とを備える面光源装置２０における光拡散板４０の光源３１側に設けられ、光源３１からの光の遮光量を調整するための調光パターンの生成方法であり、光拡散板４０の光源３１側に、光拡散板４０側から順に感光体Ｆ１と網版用スクリンを有するフィルムＦ２とを配置し、光源３１に対応する位置に配置され、光源３１に対して配光及び強度分布が略同一である製版用光源３１Ａを用いて、感光体Ｆ１を露光することによって、感光体Ｆ１に光拡散板の面上の光量分布に応じた網版パターンを形成し、網版パターンに基づいて調光パターンを生成する。【選択図】図４
2010140721.tif 000002
【特許請求の範囲】
【請求項１】
少なくとも１つの光源と、前記光源からの光を拡散させる光拡散板とを備える面光源装置における前記光拡散板の前記光源側に設けられ、前記光源からの光の遮光量を調整するための前記調光パターンの生成方法であり、
前記光拡散板の前記光源側に、前記光拡散板側から順に感光体と網版用スクリンとを配置し、
前記光源に対応する位置に配置され、前記光源に対して配光及び強度分布が略同一である製版用光源を用いて、前記感光体を露光することによって、前記感光体に前記光拡散板の面上の光量分布に応じた網版パターンを形成し、
前記網版パターンに基づいて前記調光パターンを生成する
調光パターンの生成方法。
【請求項２】
前記感光体と前記網版用スクリンとを離間して配置する
請求項１に記載の調光パターンの生成方法。
【請求項３】
前記感光体と前記網版用スクリンとのギャップを、前記網版用スクリンの網点の大きさの０．１倍以上１０倍以下とする
請求項２に記載の調光パターンの生成方法。
【請求項４】
前記感光体と前記網版用スクリンとのギャップを、前記網版用スクリンの網点の大きさの０．５倍以上２倍以下とする
請求項２に記載の調光パターンの生成方法。
【請求項５】
前記網版用スクリンの線数を、６０線以上４００線以下とする
請求項１又は２に記載の調光パターンの生成方法。
【請求項６】
前記網版用スクリンの線数を、１００線以上２００線以下とする
請求項１又は２に記載の調光パターンの生成方法。
【請求項７】
少なくとも１つの光源と、前記光源からの光を拡散させる光拡散板とを備える面光源装置における前記光拡散板であって、前記光源からの光の遮光量を調整するための調光パターンが前記光源側に設けられた前記光拡散板の製造方法であり、
前記光拡散板の前記光源側に、前記光拡散板側から順に感光体と網版用スクリンとを配置し、
前記光源に対応する位置に配置され、前記光源に対して配光及び強度分布が略同一である製版用光源を用いて、前記感光体を露光することによって、前記感光体に前記光拡散板の面上の光量分布に応じた網版パターンを形成し、
前記網版パターンに基づいて、前記光拡散板の前記光源側の面に前記調光パターンを形成する
ことを特徴とする前記光拡散板の製造方法。
【請求項８】
請求項１〜６の何れか１項に記載の調光パターンの生成方法によって生成された調光パターンが形成された光拡散板。
【請求項９】
請求項１〜６の何れか１項に記載の調光パターンの生成方法によって生成された調光パターンが形成された調光フィルム。
【請求項１０】
請求項９に記載された調光フィルムが貼付された光拡散板。
【請求項１１】
少なくとも１つの光源と、
前記光源からの光を拡散させる光拡散板であって、請求項８又は９に記載の当該光拡散板と
を備える面光源装置。
【請求項１２】
透過型画像表示セルと、
前記透過型画像表示セルに光を供給する面光源装置であって、請求項１１に記載の当該面光源装置と
を備える透過型画像表示装置。
【発明の詳細な説明】
【技術分野】
【０００１】
本発明は、調光パターンの生成方法、光拡散板の製造方法、光拡散板、調光フィルム、面光源装置、及び、透過型画像表示装置に関するものである。
【背景技術】
【０００２】
透過型画像表示装置としては、例えば、透過型液晶セルなどの背面側に、直下型の面光源装置が配置されたものが知られている。この種の面光源装置としては、面内に複数の光源が互いに間隔を空けて配置され、該複数の光源の前面側には、これらの光源からの光を一面に渡って拡散させて出射させる光拡散板が配置されたものが知られている。この種の面光源装置では、各光源の真上では光の強度が強く、光源から遠ざかるにつれて光の強度が次第に弱くなってしまうために、周期的な輝度ムラが発生するという問題があった。
【０００３】
この問題点に関し、特許文献１に記載の面光源装置（バックライト装置）では、光源（冷陰極管）からの光の遮光量を調整するためのドット状の調光パターンを光源の配置に対応して光拡散板に印刷したり、この調光パターンを蒸着した透明フィルムを光源と光拡散板との間に配置したりする。この調光用ドットパターンは、光源の投光方向に、全光線透過率が６２％〜７１％で、かつ、曇価が９０％〜９９％である。また、この調光用ドットパターンの各ドットは、光源の間隔を２４〜４８分割した位置に配置され、さらに、各ドット系は、光源からの距離に応じて０．１６ｍｍ〜０．７ｍｍである。この構成により、光源の消費電力を上げることなく十分な輝度値を確保すると共に、面状発光される光の輝度を均一化することができるとしている。
【特許文献１】特開２００５−１１７０２３号広報
【発明の開示】
【発明が解決しようとする課題】
【０００４】
しかしながら、実機の光源配置に応じて、最適な位置、大きさ、間隔に置かれるように調光パターンを設計することは困難である。
【０００５】
そこで、本発明は、より安定して輝度ムラを抑制可能な調光パターンの生成方法、光拡散板の製造方法、光拡散板、調光フィルム、面光源装置、及び、透過型画像表示装置を提供することを目的としている。
【課題を解決するための手段】
【０００６】
本発明の調光パターンの生成方法は、少なくとも１つの光源と、光源からの光を拡散させる光拡散板とを備える面光源装置における光拡散板の光源側に設けられ、光源からの光の遮光量を調整するための調光パターンの生成方法であり、光拡散板の光源側に、光拡散板側から順に感光体と網版用スクリンとを配置し、光源に対応する位置に配置され、光源に対して配光及び強度分布が略同一である製版用光源を用いて、感光体を露光することによって、感光体に光拡散板の面上の光量分布に応じた網版パターンを形成し、網版パターンに基づいて調光パターンを生成する。
【０００７】
また、本発明の光拡散板の製造方法は、少なくとも１つの光源と、光源からの光を拡散させる光拡散板とを備える面光源装置における光拡散板であって、光源からの光の遮光量を調整するための調光パターンが光源側に設けられた光拡散板の製造方法であり、光拡散板の光源側に、光拡散板側から順に感光体と網版用スクリンとを配置し、光源に対応する位置に配置され、光源に対して配光及び強度分布が略同一である製版用光源を用いて、感光体を露光することによって、感光体に光拡散板の面上の光量分布に応じた網版用スクリンに応じた網版パターンを形成し、網版パターンに基づいて、光拡散板の光源側の面に調光パターンを形成する。
【０００８】
網版印刷手法では、露光光量に応じて、光量が大きいほど大きな網版パターンが生成され、光量が小さいほど小さな網版パターンが生成される。
【０００９】
この発明によれば、網版印刷手法を用いて生成された網版パターンに基づいて調光パターンを生成するので、製版用光源の真上では大きな調光パターンが生成され、製版用光源から遠ざかるにつれて次第に小さな調光パターンが生成される。したがって、この調光パターンを面光源装置における光拡散板の光源側に設けると、光の強度が強い光源の真上では遮光量を大きくすることができ、光源から遠ざかり光の強度が弱まるにつれて遮光量を次第に小さくすることができるので、輝度ムラを抑制することができる。
【００１０】
また、この発明によれば、網版パターンが形成される感光体に対して、製版用光源を実際の光源の位置に配置すると共に、製版用光源の配光及び強度分布が実際の光源の配光及び強度分布と略同一であるので、光拡散板の面上の光量分布に応じた網版パターンを生成することができ、より安定して輝度ムラを抑制することが可能な調光パターンを生成することができる。
【００１１】
上記した調光パターンの生成方法は、感光体と網版用スクリンとを離間して配置することが好ましい。これによって、網版用スクリンを介して感光体を露光する光にグラデーションを設けることができ、斜めから見る際の輝度ムラをも抑制することが可能な調光パターンを生成することができる。
【００１２】
上記した調光パターンの生成方法は、感光体と網版用スクリンとのギャップを、網版用スクリンの網点の大きさの０．１倍以上１０倍以下とすることが好ましい。感光体と網版用スクリンとのギャップを、網版用スクリンの網点の大きさの０．１倍以上とすることにより、網版用スクリンを介して感光体を露光する光により適切なグラデーションを設けることができ、斜めから見る際の輝度ムラをより適切に抑制することが可能な調光パターンを生成することができる。一方、感光体と網版用スクリンとのギャップを、網版用スクリンの網点の大きさの１０倍以下とすることにより、感光体を露光する光をぼかし過ぎることがなく、輝度ムラをより適切に抑制することが可能な調光パターンを生成することができる。
【００１３】
更に、上記した調光パターンの生成方法は、感光体と網版用スクリンとのギャップを、網版用スクリンの網点の大きさの０．５倍以上２倍以下とすることが好ましい。感光体と網版用スクリンとのギャップを、網版用スクリンの網点の大きさの０．５倍以上とすることにより、網版用スクリンを介して感光体を露光する光に更により適切なグラデーションを設けることができ、斜めから見る際の輝度ムラを更により適切に抑制することが可能な調光パターンを生成することができる。一方、感光体と網版用スクリンとのギャップを、網版用スクリンの網点の大きさの２倍以下とすることにより、感光体を露光する光をぼかし過ぎることがなく、輝度ムラを更により適切に抑制することが可能な調光パターンを生成することができる。
【００１４】
上記した調光パターンの生成方法は、網版用スクリンの線数を、６０線以上４００線以下とすることが好ましい。網版用スクリンの線数を６０線以上とすることにより、調光パターンに起因する輝度縞の間隔を細かくすることができ、調光パターンに起因する輝度縞を識別できないようにすることができる。一方、網版用スクリンの線数を４００線以下とすることにより、製造精度に起因する高価格化を抑制することができる。
【００１５】
更に、上記した調光パターンの生成方法は、網版用スクリンの線数を、１００線以上２００線以下とすることが好ましい。網版用スクリンの線数を１００線以上とすることにより、調光パターンに起因する輝度縞の間隔をより細かくすることができ、調光パターンに起因する輝度縞をより識別できないようにすることができる。一方、網版用スクリンの線数を２００線以下とすることにより、製造精度に起因する高価格化をより抑制することができる。
【００１６】
本発明の光拡散板は、上記した調光パターンの生成方法によって生成された調光パターンが形成される。また、本発明の調光フィルムは、上記した調光パターンの生成方法によって生成された調光パターンが形成される。また、本発明の別の光拡散板は、上記した調光フィルムが貼付される。また、本発明の面光源装置は、少なくとも１つの光源と、光源からの光を拡散させる光拡散板であって、上記した光拡散板とを備える。また、本発明の透過型画像表示装置は、透過型画像表示セルと、透過型画像表示セルに光を供給する面光源装置であって、上記した当該面光源装置とを備える。この発明によれば、上記したように、光拡散板の面上の光量に応じた調光パターンが形成されるので、より安定して輝度ムラを抑制することができる。
【発明の効果】
【００１７】
本発明によれば、透過型画像表示装置における面光源装置の出力光の輝度ムラを、より安定して抑制することができる。
【発明を実施するための最良の形態】
【００１８】
以下、図面を参照して本発明の好適な実施形態について詳細に説明する。なお、各図面において同一又は相当の部分に対しては同一の符号を附すこととする。
［第１実施形態］
【００１９】
図１は、本発明に係る透過型画像表示装置の第１実施形態の構成を模式的に示す断面図である。透過型画像表示装置１は、液晶表示装置であり、液晶セル１１の上下両面に偏光板１２，１３が積層されてなる透過型画像表示部１０の背面側（下側）に直下型の面光源装置２０が設けられて構成されている。
【００２０】
液晶セル１１，偏光板１２，１３は、従来の液晶表示装置等の透過型画像表示装置で用いられているものを用いることができる。液晶セル１１としては、ＴＦＴ型、ＳＴＮ型等の公知の液晶セルが例示される。
【００２１】
面光源装置２０は、いわゆる直下型の面光源装置であり、並列配置された複数の光源３１を含む光源部３０を有する。各光源３１は、複数の光源３１の配列方向に直交する方向に延在している線状光源であり、蛍光ランプ（冷陰極線ランプ）のような直管状のものが例示される。複数の光源３１は各光源３１の中心軸線が同一の平面Ｐ１内に位置するように間隔をあけて配置されており、隣接する２光源３１，３１の中心軸線間の距離をＬとした場合、距離Ｌは、例えば１５ｍｍ〜１５０ｍｍである。ここでは、光源３１は線状としたが、ＬＥＤのような点光源などを用いることも可能である。なお、図１中に示した平面Ｐ１は説明の便宜のためであり、仮想的な平面である。
【００２２】
複数の光源３１は、図１に示すように、ランプボックス３２内に配置されていることが好ましく、ランプボックス３２の内面３２ａは、光散乱反射面として形成されていることが好ましい。これにより、各光源３１から出力された光が透過型画像表示部１０側に確実に出力されるため、各光源３１からの光を効率的に利用することが可能となるからである。本実施形態では、光源部３０は、上記好ましい構成のランプボックス３２を有するものとして説明する。
【００２３】
面光源装置２０は、光源部３０の前面側（図１中、上側）、すなわち、透過型画像表示部１０側に光源３１に対して離間して配置された光拡散板４０を有している。上記光拡散板４０と複数の光源３１との間の離間距離をＤとした場合、離間距離Ｄは、例えば５ｍｍ〜５０ｍｍである。面光源装置２０では、薄型化を図るため、Ｌ／Ｄが１．５以上であり、好ましくは、Ｌ／Ｄは２．５以上となるように、隣接する２光源３１，３１間の距離Ｌ及び離間距離Ｄが選択されている。
【００２４】
光拡散板４０は、各光源３１の像を透過型画像表示部１０に投影しないために、光源部３０からの光、すなわち、各光源３１からの直接光及びランプボックス３２の内面３２ａで反射した反射光を透過型画像表示部１０に向けて拡散照射するためのものである。光拡散板４０の厚さｄ１は、約０．８ｍｍ〜５ｍｍ程度である。
【００２５】
光拡散板４０は、透明材料、例えば透明樹脂、透明ガラスからなる。透明樹脂としては、ポリカーボネート樹脂、ＡＢＳ樹脂（アクリロニトリル−スチレン−ブタジエン共重合体樹脂）、メタクリル樹脂、ＭＳ樹脂（メタクリル酸メチル−スチレン共重合体樹脂）、ポリスチレン樹脂、ＡＳ樹脂（アクリロニトリル-スチレン共重合体樹脂）、ポリエチレン、ポリプロピレンなどのポリオレフィン樹脂などが例示される。光拡散板４０中には、液晶表示装置等の透過型画像表示装置で使用される光拡散板に含有される、光を拡散させるための拡散剤と同様の拡散剤が適宜添加されている。
【００２６】
光拡散板４０の光源３１側には、光源３１からの光の遮光量を調整する調光パターンが形成されている。例えば、調光パターンは、インクによって形成され、光反射、光拡散、光吸収等によって光源３１からの光の遮光量を調整する。白インクによる調光パターンでは、拡散反射の効果によっても光源３１からの光の遮光量を調整することができる。
【００２７】
この調光パターンは、例えば、網版印刷に用いられる網点によって形成される。この場合、調光パターンは、光拡散板４０上の光強度が強い場所では大きな網点を有し、光強度が弱まるにつれて次第に小さな網点を有する。一般的には、光源の直上の光強度が最も強く、光源から離れるに従って光強度が弱くなるため、図２に示すように、光源３１の真上では大きな網点を有し、光源３１から遠ざかるにつれて次第に小さな網点を有する。
【００２８】
ここで、例えば、各光源３１の真上では光の強度が強く、光源３１から遠ざかるにつれて光の強度が次第に弱くなってしまうために、光拡散板４０上に光強度が強い場所と弱い場所とが周期的に発生しうる。その結果、面光源装置２０からの出力光には周期的な輝度ムラが発生しうる。しかしながら、この調光パターンによれば、光拡散板４０上の光強度が強い場所では遮光量を大きくすることができ、光強度が弱まるにつれて遮光量を次第に小さくすることができるので、例えば、光の強度が強い光源３１の真上では遮光量を大きくすることができ、光源３１から遠ざかり光の強度が弱まるにつれて遮光量を次第に小さくすることができ、輝度ムラを抑制することができる。
【００２９】
次に、第１実施形態の光拡散板４０の製造方法、及び、光拡散板４０が備える調光パターンの生成方法について説明する。図３は、本発明に係る光拡散板４０の製造方法、及び、調光パターンの生成方法の第１実施形態のフローチャートであり、図４は、図３に示す各処理ステップにおける状態を示す図である。
（配置処理）
【００３０】
まず、図４に示すように、光拡散板４０における光源３１側の面に、光拡散板４０側から順に、感光フィルムＦ１と網版用スクリンフィルムＦ２とを配置する（Ｓ０１）。
【００３１】
感光フィルムＦ１は、光拡散板４０の光源３１側の面に密着していることが好ましく、感光フィルムＦ１の厚みは、ハンドリング可能な限り薄いことが好ましい。これによって、感光フィルムＦ１は、光拡散板４０における実際の調光パターンが形成される位置に配置されることとなる。
【００３２】
網版用スクリンフィルムＦ２には、例えば、図５に示すように、網版印刷手法において用いられるコンタクトスクリン（網版用スクリン）であって、周囲がボケた点が並んだコンタクトスクリンが形成されている。なお、網版用スクリンフィルムＦ２に形成される網版用スクリンには、網スクリンなどの様々な網版用スクリンが適用可能である。
【００３３】
網版用スクリンフィルムＦ２は、感光フィルムＦ１に対して離間していることが好ましい（プロキシミティ露光）。これによって、網版用スクリンフィルムＦ２におけるコンタクトスクリンを介して感光フィルムＦ１を露光する光にグラデーションを設けることができ、透過型画像表示装置１を斜めから見る際の輝度ムラを抑制することが可能な調光パターンを生成することができる。
【００３４】
網版用スクリンフィルムＦ２と感光フィルムＦ１とのギャップは、コンタクトスクリンの網点の大きさの０．１倍以上１０倍以下であることが好ましい。網版用スクリンフィルムＦ２と感光フィルムＦ１とのギャップをコンタクトスクリンの網点の大きさの０．１倍以上とすることにより、コンタクトスクリンを介して感光フィルムＦ１を露光する光により適切なグラデーションを設けることができ、透過型画像表示装置１を斜めから見る際の輝度ムラをより適切に抑制することが可能な調光パターンを生成することができる。
【００３５】
一方、網版用スクリンフィルムＦ２と感光フィルムＦ１とのギャップをコンタクトスクリンの網点の大きさの１０倍以下とすることにより、感光フィルムＦ１を露光する光をぼかし過ぎることがなく、面光源装置２０の輝度ムラをより適切に抑制することが可能な調光パターンを生成することができる。
【００３６】
更に、網版用スクリンフィルムＦ２と感光フィルムＦ１とのギャップは、コンタクトスクリンの網点の大きさの０．５倍以上２倍以下であることが好ましい。網版用スクリンフィルムＦ２と感光フィルムＦ１とのギャップをコンタクトスクリンの網点の大きさの０．５倍以上とすることにより、コンタクトスクリンを介して感光フィルムＦ１を露光する光により更により適切なグラデーションを設けることができ、透過型画像表示装置１を斜めから見る際の輝度ムラを更により適切に抑制することが可能な調光パターンを生成することができる。
【００３７】
一方、網版用スクリンフィルムＦ２と感光フィルムＦ１とのギャップをコンタクトスクリンの網点の大きさの２倍以下とすることにより、感光フィルムＦ１を露光する光をよりぼかし過ぎることがなく、面光源装置２０の輝度ムラを更により適切に抑制することが可能な調光パターンを生成することができる。
【００３８】
網版用スクリンフィルムＦ２と感光フィルムＦ１にギャップを持たせる場合には、図６（ａ）に示すように、感光フィルムＦ１の感光面と網版用スクリンフィルムＦ２のコンタクトスクリン６１が形成されていない面とを密着させ、自身の厚みｄを利用して、コンタクトスクリン６１と感光フィルムＦ１との間に上記したギャップを設けることが好ましい。これによれば、全面に渡って均一なギャップを設けることができる。
【００３９】
また、網版用スクリンフィルムＦ２は、感光フィルムＦ１に密着していてもよい（コンタクト露光）。この場合、図６（ｂ）に示すように、感光フィルムＦ１の感光面と網版用スクリンフィルムＦ２のコンタクトスクリン６１が形成された面とを密着させる。
【００４０】
網版用スクリンフィルムＦ２におけるコンタクトスクリンの線数は、６０線以上４００線以下であることが好ましい。コンタクトスクリンの線数を６０線以上とすることにより、調光パターンに起因する輝度縞の間隔を細かくすることができ、調光パターンに起因する輝度縞を識別できないようにすることができる。一方、コンタクトスクリンの線数を４００線以下とすることにより、製造精度に起因する高価格化を抑制することができる。
【００４１】
更に、網版用スクリンフィルムＦ２におけるコンタクトスクリンの線数は、１００線以上２００線以下であることが更に好ましい。コンタクトスクリンの線数を１００線以上とすることにより、調光パターンに起因する輝度縞の間隔をより細かくすることができ、調光パターンに起因する輝度縞をより識別できないようにすることができる。一方、コンタクトスクリンの線数を２００線以下とすることにより、製造精度に起因する高価格化をより抑制することができる。
【００４２】
次に、製版用光源３１Ａをランプボックス３２における光源３１の実際の構成位置に配置し、感光フィルムＦ１及び網版用スクリンフィルムＦ２と共に光拡散板４０を製版用光源３１Ａ及びランプボックス３２に対して実際の構成位置に配置する（Ｓ０２）。
【００４３】
製版用光源３１Ａとしては、実際の光源３１であってもよいし、感光フィルムＦ１の感光波長（例えば、紫外線であることが多い）に適合した波長を有する光源であってもよい。その場合、製版用光源３１Ａの配光及び強度分布は、光源３１の配光及び強度分布と略同一であることが好ましい。
【００４４】
なお、光拡散板４０は、感光フィルムＦ１の位置合わせのために用いるものであり、光拡散板４０の表面と等価な位置に感光フィルムＦ１を保持できれば、いかなる手段でも構わない。また、面光源装置２０としてランプボックス３２を備えない形態の場合には、ランプボックス３２が省略される。
（露光処理）
【００４５】
次に、製版用光源３１Ａを用いて、感光フィルムＦ１を露光することによって、光量に応じた網点を有する網版パターンを感光フィルムＦ１に形成する（Ｓ０３）。これによって、光拡散板４０の露光面、すなわち実際の露光位置の光の強度に応じて、網点の大きさを決定することができる。すなわち、製版用光源３１Ａの直上における光の強度が大きい位置では大きさな網点を生成し、製版用光源３１Ａから遠ざかる光の強度が小さい位置では小さな網点を生成することができる。
（印刷処理）
【００４６】
次に、感光フィルムＦ１を現像し、網版パターンの原版を作成する（Ｓ０４）。そして、この原版から網版パターンの印刷版を作成する（Ｓ０５）。次に、この印刷版を用いて、網版パターンを光拡散板４０の光源３１側に印刷することによって、光拡散板４０の光源３１側に調光パターンを形成する（Ｓ０６）。このようにして、実際の光拡散板４０上の光量に応じた網点を有する調光パターンを生成することができる。
【００４７】
なお、ステップＳ０４〜Ｓ０６には、例えば、スクリーン印刷、オフセット印刷、フレキシ印刷などの一般的な印刷プロセスが適用可能である。
【００４８】
ここで、網版印刷手法では、露光光量に応じて、光量が大きいほど大きな網版パターンが生成され、光量が小さいほど小さな網版パターンが生成される。
【００４９】
第１実施形態の調光パターンの生成方法及び光拡散板の製造方法によれば、網版印刷手法を用いて生成された網版パターンに基づいて調光パターンを生成するので、製版用光源３１Ａの真上では大きな調光パターンが生成され、製版用光源３１Ａから遠ざかるにつれて次第に小さな調光パターンが生成される。したがって、この調光パターンを面光源装置２０における光拡散板４０の光源３１側に設けると、光の強度が強い光源３１の真上では遮光量を大きくすることができ、光源３１から遠ざかり光の強度が弱まるにつれて遮光量を次第に小さくすることができるので、輝度ムラを抑制することができる。
【００５０】
また、第１実施形態の調光パターンの生成方法及び光拡散板の製造方法によれば、網版パターンが形成される感光フィルムＦ１に対して、製版用光源３１Ａを実際の光源３１の位置に配置すると共に、製版用光源３１Ａの配光及び強度分布が実際の光源３１の配光及び強度分布と略同一であるので、光拡散板４０の面上の光量分布に応じた網版パターンを生成することができ、より安定して輝度ムラを抑制することが可能な調光パターンを生成することができる。
【００５１】
また、第１実施形態の調光パターンの生成方法及び光拡散板の製造方法によれば、上記したように、光拡散板４０の面上の光量分布に応じた網版パターンを生成し、この網版パターンから調光パターンを生成するので、実機の光源配置に応じて、最適な位置、大きさ、間隔に置かれるように調光パターンを設計することが容易となる。また、第１実施形態の調光パターンの生成方法及び光拡散板の製造方法によれば、例えば、「光源の真上では光強度が強い」などの先見知識なしに最適な調光パターンを生成することができる。また、光源からの直射光だけでなくランプボックスの反射等をも含めたトータルの光強度を反映した調光パターンを生成することができる。これらによって、より実機に適合した調光パターンを持つ光拡散板を得ることが可能となり、より光量ムラの少ない面光源装置を得ることが可能となる。ひいては、より高画質の透過型画像表示装置を得ることができる。
［第２実施形態］
【００５２】
図７は、本発明に係る透過型画像表示装置の第２実施形態の構成を模式的に示す断面図である。この第２実施形態の透過型画像表示装置１Ａは、透過型画像表示装置１において面光源装置２０に代えて面光源装置２０Ａを備える構成で第１実施形態と相違する。透過型画像表示装置１Ａの他の構成は、透過型画像表示装置１と同一である。
【００５３】
面光源装置２０Ａは、面光源装置２０において光拡散板４０に代えて光拡散板４０Ａを備える構成で面光源装置２０と相違する。面光源装置２０Ａの他の構成は、面光源装置２０と同一である。
【００５４】
光拡散板４０Ａは、調光フィルム５０が光拡散板５１の光源側の面に貼付されてなる。光拡散板５１は、光拡散板４０において光源側の面に調光パターンが形成されていない点で光拡散板４０と相違する。調光フィルム５０には、光拡散板４０の光源側の面に形成された調光パターンと同一の調光パターンが形成されている。すなわち、調光フィルム５０には、光拡散板４０上の光強度が強い場所では大きな網点を有し、光強度が弱まるにつれて次第に小さな網点を有する調光パターン、例えば、図２に示すような、光源３１の真上では大きな網点を有し、光源３１から遠ざかるにつれて次第に小さな網点を有する調光パターンが形成されている。
【００５５】
次に、第２実施形態の光拡散板４０Ａの製造方法、光拡散板４０Ａが備える調光フィルム５０の製造方法、及び、調光フィルムが備える調光パターンの生成方法について説明する。図８は、本発明に係る光拡散板４０Ａの製造方法、調光フィルム５０の製造方法、及び、調光パターンの生成方法の第２実施形態のフローチャートである。
（配置処理、及び、露光処理）
【００５６】
まず、上記したステップＳ０１及びＳ０２の配置処理を行う。その後、上記したステップＳ０３の露光処理を行う。
（印刷処理）
【００５７】
次に、上記したステップＳ０４及びＳ０５の処理を行い、網版パターンの印刷版を作成する。次に、この印刷版を用いて、網版パターンを調光フィルム５０の光源３１側の面に印刷することによって、調光フィルム５０の光源３１側の面に調光パターンを形成する（Ｓ１６）。その後、この調光フィルム５０を光拡散板５１の光源３１側の面に貼付することによって、光拡散板４０Ａを得る（Ｓ１７）。
【００５８】
第２実施形態の調光パターンの生成方法、調光フィルムの製造方法及び光拡散板の製造方法でも、第１実施形態の調光パターンの生成方法及び光拡散板の製造方法と同様の利点を得ることができる。
【００５９】
なお、本発明は上記した本実施形態に限定されることなく種々の変形が可能である。例えば、第１実施形態では、一般的な印刷手法を用いて光拡散板４０に調光パターンを印刷したが、インクジェットプリンタによるインク吹き付けによって調光パターンを形成してもよい。以下では、この変形例の光拡散板の製造方法、及び、光拡散板が備える調光パターンの生成方法について説明する。図９は、本発明に係る光拡散板の製造方法、及び、調光パターンの生成方法の変形例のフローチャートである。
（配置処理、及び、露光処理）
【００６０】
まず、上記したステップＳ０１及びＳ０２の配置処理を行う。その後、上記したステップＳ０３の露光処理を行う。
（印刷処理）
【００６１】
次に、上記したステップＳ０４の処理を行い、網版パターンの原版を作成する。次に、スキャナ及びコンピュータ等によって、この原版から網版パターンの電子データを作成する（Ｓ２５）。次に、コンピュータ及びインクジェットプリンタ等によって、この電子データの網版パターンに基づいて、光拡散板４０の光源３１側にインク吹き付けを行うことによって、光拡散板の光源３１側に調光パターンを形成する（Ｓ２６）。
【００６２】
また、第２実施形態でも、この変形例のインク吹き付け手法を用いて、調光フィルムの調光パターンが形成されてもよい。
【００６３】
この変形例の調光パターンの生成方法、調光フィルムの製造方法及び光拡散板の製造方法でも、第１実施形態及び第２実施形態の調光パターンの生成方法、調光フィルムの製造方法及び光拡散板の製造方法と同様の利点を得ることができる。
【００６４】
また、本発明の思想は、液晶表示装置に用いられる面発光装置に限定されることなく、ライトボックスやトレースボックスなどの面発光装置における光拡散板に形成される調光パターンを生成する場合にも適用可能である。
【図面の簡単な説明】
【００６５】
【図１】本発明に係る透過型画像表示装置、面光源装置及び光拡散板の第１実施形態の構成を模式的に示す断面図である。
【図２】図１に示す光拡散板の光源側の面に形成される調光パターンを示す拡大図である。
【図３】本発明に係る光拡散板の製造方法、及び、調光パターンの生成方法の第１実施形態のフローチャートである。
【図４】図３に示す各処理ステップにおける状態を示す図である。
【図５】図４に示す網版用スクリンフィルムにおけるコンタクトスクリンを示す拡大図である。
【図６】図４の一部拡大図である。
【図７】本発明に係る透過型画像表示装置、面光源装置及び光拡散板の第２実施形態の構成を模式的に示す断面図である。
【図８】本発明に係る光拡散板の製造方法、及び、調光パターンの生成方法の第２実施形態のフローチャートである。
【図９】本発明に係る光拡散板の製造方法、及び、調光パターンの生成方法の変形例のフローチャートである。
【符号の説明】
【００６６】
１，１Ａ…透過型画像表示装置、１０…透過型画像表示部、１１…液晶セル、１２，１３…偏光板、２０，２０Ａ…面光源装置、３０…光源部、３１…光源、３１Ａ…製版用光源、３２…ランプボックス、４０，４０Ａ…光拡散板、５０…調光フィルム、５１…光拡散板、６１…コンタクトスクリン（網版用スクリン）、Ｆ１…感光フィルム（感光体）、Ｆ２…網版用スクリンフィルム
【図１】
2010140721.tif 000003
【図２】
2010140721.tif 000004
【図３】
2010140721.tif 000005
【図４】
2010140721.tif 000006
【図５】
2010140721.tif 000007
【図６】
2010140721.tif 000008
【図７】
2010140721.tif 000009
【図８】
2010140721.tif 000010
【図９】
2010140721.tif 000011